(57)【特許請求の範囲】
【請求項１】
左目用映像信号に基づく左目用映像と右目用映像信号に基づく右目用映像とを表示する映像表示部と、
前記左目用映像信号及び前記右目用映像信号の各々に対応して第１の書き込み走査と第２の書き込み走査とを行い、前記左目用映像信号又は前記右目用映像信号に基づく駆動量で書き込み走査を行って前記映像表示部を駆動する駆動部と、
前記左目用映像信号と前記右目用映像信号とに基づき、右目及び左目に交互に光を透過させるメガネ装置の、右目及び左目への光の透過を切り替えるメガネ制御信号を生成するメガネ制御部と、を備え、
前記駆動部は、前記左目用映像信号又は前記右目用映像信号の第１の書き込み走査時に第１のオーバードライブ処理を行うとともに、前記左目用映像信号又は前記右目用映像信号の第２の書き込み走査時に第２のオーバードライブ処理を行い、
前記第１のオーバードライブ処理は、前記左目用映像信号又は前記右目用映像信号によって定まる目標輝度に向けて輝度を高めるように前記映像表示部を駆動する場合は前記目標輝度以上の第１の輝度に応じた駆動量で前記映像表示部を駆動し、前記目標輝度に向けて輝度を抑えるように前記映像表示部を駆動する場合は前記目標輝度以下の第２の輝度に応じた駆動量で前記映像表示部を駆動する処理を行うものであり、
前記第２のオーバードライブ処理は、前記第１のオーバードライブ処理における第１の輝度及び第２の輝度に応じた駆動量と異なる駆動量で前記映像表示部を駆動する処理を行うか、又は前記目標輝度と等しい輝度に応じた駆動量で前記映像表示部を駆動する処理を行うものであり、
前記駆動部は、前記メガネ制御部によって生成されたメガネ制御信号に対する前記メガネ装置の光の切り替えタイミングに応じて前記第１のオーバードライブ処理又は前記第２のオーバードライブ処理において駆動する駆動量を変化させる、
映像表示装置。
【請求項２】
前記映像表示部の温度を検出する温度検出部をさらに備え、
前記駆動部は、前記温度検出部によって検出された温度に応じて前記第１のオーバードライブ処理又は前記第２のオーバードライブ処理において駆動する駆動量を変化させる、
請求項１に記載の映像表示装置。
【発明の詳細な説明】
【技術分野】
【０００１】
本発明は、映像を立体的に知覚させるための映像を表示する映像表示装置及び該表示装置が表示する映像を視聴するための映像視聴システムに関するものである。
【背景技術】
【０００２】
従来、立体映像を得るための立体表示装置としては、視差を有する左目用映像及び右目用映像を所定周期（例えば、フィールド周期）で交互にディスプレイに供給し、これらの映像を、所定周期に同期して駆動される液晶シャッタを備える立体映像観察用のメガネ装置で観察する立体表示装置がある（例えば、特許文献１及び特許文献２参照）。
【０００３】
図８は、従来の立体表示システムの構成を示すブロック図である。図８に示す立体表示システム３００は、立体表示装置３０１とメガネ装置３０２とを備える。立体表示装置３０１は、立体映像処理部１０１、液晶駆動部１０２、液晶パネル１０３、バックライト１０４、左目用シャッタ制御回路１０５Ｌ、右目用シャッタ制御回路１０５Ｒ及びバックライト制御部１０６を備える。
【０００４】
立体映像処理部１０１には、６０Ｈｚ周期の左目用映像信号及び右目用映像信号が入力される。立体映像処理部１０１は、６０Ｈｚ周期の左目用映像信号及び右目用映像信号を１２０Ｈｚ周期の左右映像信号に変換して液晶駆動部１０２及びバックライト制御部１０６へ出力する。
【０００５】
液晶駆動部１０２は、立体映像処理部１０１からの１２０Ｈｚ周期の左右映像信号を、液晶パネル１０３で表示可能な形式に変換して液晶パネル１０３へ出力する。バックライト制御部１０６は、立体映像処理部１０１からの１２０Ｈｚ周期の左右映像信号に基づいて、バックライト１０４の発光を制御するための発光制御信号を生成してバックライト１０４へ出力する。
【０００６】
バックライト１０４は、バックライト制御部１０６からの発光制御信号に基づいて、液晶パネル１０３に対し背面から光を照射する。液晶パネル１０３は、１２０Ｈｚ周期で左目用映像及び右目用映像を交互に表示する。
【０００７】
一方、メガネ装置３０２は、左目用メガネシャッタ３０２Ｌ及び右目用メガネシャッタ３０２Ｒを備える。左目用シャッタ制御回路１０５Ｌは、立体映像処理部１０１からの１２０Ｈｚ周期の左右映像信号に同期して、左目用メガネシャッタ３０２Ｌの開閉を制御する。右目用シャッタ制御回路１０５Ｒは、立体映像処理部１０１からの１２０Ｈｚ周期の左右映像信号に同期して、右目用メガネシャッタ３０２Ｒの開閉を制御する。
【０００８】
図９は、従来の立体表示装置における制御タイミングチャートを示す図である。図９に示す制御タイミングチャートは、液晶パネル１０３における左目用映像信号及び右目用映像信号の書込タイミング、バックライト１０４の発光タイミング、右目用メガネシャッタ３０２Ｒの開閉タイミング、及び左目用メガネシャッタ３０２Ｌの開閉タイミングを表している。
【０００９】
図９に示すように、液晶パネル１０３に右目用映像信号及び左目用映像信号が順次書き込まれる。バックライト制御部１０６は、液晶パネル１０３への右目用映像信号又は左目用映像信号の書き込み走査後に、発光期間がそれぞれの映像期間の１／４になるようにバックライト１０４を制御する。
【００１０】
また、右目用シャッタ制御回路１０５Ｒは、液晶パネル１０３への右目用映像信号の書き込み走査後に、シャッタの開期間が映像期間の１／４になるように右目用メガネシャッタ３０２Ｒの開閉を制御する。左目用シャッタ制御回路１０５Ｌは、液晶パネル１０３への左目用映像信号の書き込み走査後に、シャッタの開期間が映像期間の１／４になるように左目用メガネシャッタ３０２Ｌの開閉を制御する。右目用メガネシャッタ３０２Ｒ及び左目用メガネシャッタ３０２Ｌの開期間は、バックライト１０４の発光期間と同じになるように制御される。左目用メガネシャッタ３０２Ｌ及び右目用メガネシャッタ３０２Ｒを通した左目用映像及び右目用映像は人の左右の目にそれぞれ入力され、結果として人の脳で視覚的な立体像が生成される。
【００１１】
ところで、上記従来の立体表示装置では、液晶パネル１０３に印加される駆動電圧に対する液晶パネル１０３の応答速度が遅いため、輝度が目標輝度に到達する前に次の映像信号の書き込みが開始される。
【００１２】
図１０は、従来の立体表示装置において発生するクロストークについて説明するための図である。図１０に示すタイミングチャートでは、液晶パネル１０３上のある画素における液晶透過量の応答、バックライト１０４の輝度、右目用メガネシャッタ３０２Ｒ及び左目用メガネシャッタ３０２Ｌの開閉タイミングと光通過量、及びメガネシャッタ通過後の輝度（人が視認する輝度）を表している。
【００１３】
図１０に示すように、液晶透過量の応答は、左目用映像信号の書き込み開始時刻ｔ１から左目用映像信号の書き込み終了時刻（右目用映像信号の書き込み開始時刻）ｔ３までに、左目画像目標透過量に向かって徐々に近づき、時刻ｔ３から右目用映像信号の書き込み終了時刻ｔ５までに、右目画像目標透過量に向かって徐々に近づく。
【００１４】
ここで、人が視認する輝度（以下、視認輝度と記載する）は、下記の（１）式に示すように、液晶透過量の応答を表す関数ｆ（ｔ）と、バックライト輝度を表す関数ｇ（ｔ）と、メガネシャッタの光通過量を表す関数ｈ（ｔ）との積で表される瞬時輝度の積分で表される。
【００１５】
視認輝度＝∫ｆ（ｔ）・ｇ（ｔ）・ｈ（ｔ）ｄｔ・・・（１）
例えば、左目用映像信号の場合は、
【００１６】
【数１】
0005438206.tif 000002
【００１７】
となり、図１０の面積Ａに相当する。また、右目用映像信号の場合は、
【００１８】
【数２】
0005438206.tif 000003
【００１９】
となり、図１０の面積Ｂに相当する。
【００２０】
左目用映像信号の書き込み終了時刻ｔ３において、人が視認する輝度は、左目画像目標輝度に到達しておらず、図１０の面積Ｃに相当する輝度分だけ暗く感じる。この現象は直前の右目画像の影響が残っている状態、つまり右目用映像の一部が重なって見える現象であり、クロストークと呼ばれる。このクロストークの発生により、立体映像の品質が劣化する。また、右目用映像信号の書き込み終了時刻ｔ５において、人が視認する輝度は、右目画像目標輝度に到達しておらず、図１０の面積Ｂに相当する輝度分だけ明るく感じ、上記と同様のクロストークが発生する。このクロストークの発生は、液晶パネル１０３の応答速度に起因している。上記のように、液晶パネル１０３に印加される駆動電圧に対する液晶パネル１０３の応答速度が遅いため、バックライト１０４の発光期間（時刻ｔ２〜時刻ｔ３及び時刻ｔ４〜時刻ｔ５）内に液晶透過量応答が目標透過量に到達することができず、クロストークが発生する。
【００２１】
図１１（Ａ）は、クロストークが発生している右目用映像を示す図であり、図１１（Ｂ）は、クロストークが発生している左目用映像を示す図である。図１１（Ａ）において、右目用映像ＲＧには、黒色の背景画像上に白色の物体Ｓ１が表示されている。また、図１１（Ｂ）において、左目用映像ＬＧには、黒色の背景画像上に白色の物体Ｓ２が表示されている。
【００２２】
図１１（Ａ）及び図１１（Ｂ）に示すように、右目用映像ＲＧには、左目用映像ＬＧの物体Ｓ２が重なって表示され、左目用映像ＬＧには、右目用映像ＲＧの物体Ｓ１が重なって表示されている。
【先行技術文献】
【特許文献】
【００２３】
【特許文献１】特開昭６２−１３３８９１号公報
【特許文献２】特開２００９−２５４３６号公報
【発明の概要】
【発明が解決しようとする課題】
【００２４】
クロストークの発生を防止するため、液晶パネル１０３に目標電圧より高い駆動電圧を印加するオーバードライブ処理を行うことにより、液晶パネル１０３の応答速度を速くすることが可能である。
【００２５】
図１２は、従来の立体表示装置において発生するクロストークを低減する処理について説明するための図である。図１２に示すタイミングチャートでは、液晶パネル１０３上のある画素における液晶透過量の応答、バックライト１０４の輝度、右目用メガネシャッタ３０２Ｒ及び左目用メガネシャッタ３０２Ｌの開閉タイミング、メガネシャッタ通過後の輝度及びクロストークを表している。
【００２６】
液晶駆動部１０２は、図１２の例では、液晶パネル１０３に目標電圧より高い駆動電圧を印加するオーバードライブ処理を行う。これにより、液晶パネル１０３の応答速度が速くなり、クロストークが減少する。図１２では、左目用映像信号の書き込みにおいてオーバードライブ処理を行っており、これにより左目画像目標輝度に短い時間で到達する。これにより、左目用メガネシャッタ開期間（ｔ２〜ｔ３）において充分に目標輝度に到達している。図１２において、クロストークは、左目用メガネシャッタ開期間（ｔ２〜ｔ３）におけるハッチング部分の面積（目標輝度を下回っている部分と上回っている部分でほぼ相殺しあっている）であり、オーバードライブ処理を行わない場合に較べて減少している。
【００２７】
しかしながら、図１２に示すように、次の右目期間においてオーバードライブ処理を行ったにも関わらず、右目用メガネシャッタ開期間（ｔ４〜ｔ５）において右目画像目標輝度にまだ到達していない。つまり、右目用メガネシャッタ開期間（ｔ４〜ｔ５）におけるハッチング部分の面積のクロストークが発生している。これは、左目画像書き込み時のオーバードライブ処理により液晶透過量が時刻ｔ３において高くなりすぎ、右目画像書き込み時の初期電圧が高くなり、右目用メガネシャッタ開期間に右目画像目標透過量に到達し難くなるためである。このように、１回のオーバードライブ処理では、クロストークの発生を防止することが困難であった。
【００２８】
本発明は、上記の問題を解決するためになされたもので、立体映像におけるクロストークの発生を防止することができる映像表示装置及び映像視聴システムを提供することを目的とするものである。
【課題を解決するための手段】
【００２９】
本発明の一局面に係る映像表示装置は、左目用映像信号に基づく左目用映像と右目用映像信号に基づく右目用映像とを表示する映像表示部と、前記左目用映像信号又は前記右目用映像信号に基づく駆動量でそれぞれ少なくとも２回ずつの書き込み走査を行って前記映像表示部を駆動する駆動部と、を備え、前記駆動部は、前記書き込み走査のそれぞれにおいて、前記左目用映像信号又は前記右目用映像信号によって定まる目標輝度に向けて輝度を高めるように前記映像表示部を駆動する場合には前記目標輝度以上の輝度に応じた駆動量で前記映像表示部を駆動し、前記目標輝度に向けて前記映像表示部の輝度を抑えるように前記映像表示部を駆動する場合には前記目標輝度以下の輝度に応じた駆動量で前記映像表示部を駆動するオーバードライブ処理を行う。
【００３０】
この構成によれば、映像表示部によって、左目用映像信号に基づく左目用映像と右目用映像信号に基づく右目用映像とが表示され、駆動部によって、左目用映像信号又は右目用映像信号に基づく駆動量でそれぞれ少なくとも２回ずつの書き込み走査を行って映像表示部が駆動される。そして、書き込み走査のそれぞれにおいて、左目用映像信号又は右目用映像信号によって定まる目標輝度に向けて輝度を高めるように映像表示部を駆動する場合には目標輝度以上の輝度に応じた駆動量で映像表示部を駆動し、目標輝度に向けて輝度を抑えるように映像表示部を駆動する場合には目標輝度以下の輝度に応じた駆動量で映像表示部を駆動するオーバードライブ処理が行われる。
【発明の効果】
【００３１】
本発明によれば、左目用映像信号又は右目用映像信号によって定まる目標輝度に向けて輝度を高めるように映像表示部を駆動する場合には目標輝度以上の輝度に応じた駆動量で映像表示部が駆動され、目標輝度に向けて輝度を抑えるように映像表示部を駆動する場合には目標輝度以下の輝度に応じた駆動量で映像表示部が駆動されるので、映像表示部に表示される左目用映像及び右目用映像の輝度を目標輝度に到達させることができ、立体映像におけるクロストークの発生を防止することができる。
【図面の簡単な説明】
【００３２】
【図１】本発明の実施の形態１に係る立体表示システムの構成を示すブロック図である。
【図２】本実施の形態１の立体表示システムにおける制御タイミングチャートを示す図である。
【図３】本実施の形態１の立体表示装置において発生するクロストークを低減する処理について説明するための図である。
【図４】現フレームの輝度と、前フレームの輝度との関係を示す図である。
【図５】図４に示す第１〜第３領域におけるオーバードライブ処理について説明するための図である。
【図６】（Ａ）は、本実施の形態１において画面に表示される右目用映像を示す図であり、（Ｂ）は、本実施の形態１において画面に表示される左目用映像を示す図である。
【図７】本発明の実施の形態２に係る立体表示システムの構成を示すブロック図である。
【図８】従来の立体表示システムの構成を示すブロック図である。
【図９】従来の立体表示装置における制御タイミングチャートを示す図である。
【図１０】従来の立体表示装置において発生するクロストークについて説明するための図である。
【図１１】（Ａ）は、クロストークが発生している右目用映像を示す図であり、（Ｂ）は、クロストークが発生している左目用映像を示す図である。
【図１２】従来の立体表示装置において発生するクロストークを低減する処理について説明するための図である。
【発明を実施するための形態】
【００３３】
以下添付図面を参照しながら、本発明の実施の形態について説明する。尚、以下の実施の形態は、本発明を具体化した一例であって、本発明の技術的範囲を限定する性格のものではない。
【００３４】
（実施の形態１）
図１は、本発明の実施の形態１に係る立体表示システムの構成を示すブロック図である。図１に示す立体表示システム１００は、立体表示装置１０とメガネ装置５とを備える。メガネ装置５は、視聴者の左目へ到達する光の量を調整する左目用メガネシャッタ５Ｌと、視聴者の右目へ到達する光の量を調整する右目用メガネシャッタ５Ｒとを含む。立体表示装置１０は、左目用メガネシャッタ５Ｌ及び右目用メガネシャッタ５Ｒの開閉状態を左目用映像及び右目用映像に合わせて制御する。
【００３５】
立体表示装置１０は、立体映像処理部１、液晶駆動部２、液晶パネル３１、バックライト３２、メガネ制御部４及びバックライト制御部６を備える。
【００３６】
立体映像処理部１には、基本となる垂直同期周波数を有する左目用映像信号及び右目用映像信号が入力される。立体映像処理部１は、入力された左目用映像信号及び右目用映像信号を、基本となる垂直同期周波数のＮ倍（Ｎは１以上の正の整数）の周波数で、左目用映像信号と右目用映像信号とが交互に並べられた左右映像信号に変換して出力する。本実施の形態では、立体映像処理部１は、入力された６０Ｈｚ周期の左目用映像信号及び右目用映像信号を、１２０Ｈｚ周期の左右映像信号（左目用映像信号及び右目用映像信号）に変換して、液晶駆動部２、メガネ制御部４及びバックライト制御部６にそれぞれ出力する。なお、立体映像処理部１は、必要に応じて左目用映像信号及び右目用映像信号の全てを出力しなくてもよい。例えば、立体映像処理部１は、メガネ制御部４に、１２０Ｈｚ周期の同期信号のみを出力してもよい。
【００３７】
液晶駆動部２は、左目用映像信号又は右目用映像信号に基づく駆動量でそれぞれ少なくとも２回ずつの書き込み走査を行って液晶パネル３１を駆動する。液晶駆動部２は、１２０Ｈｚ周期の左右映像信号を、液晶パネル３１で表示可能な形式に変換する。液晶駆動部２は、変換した左右映像信号を液晶パネル３１へ出力する。液晶駆動部２は、左目用映像信号又は右目用映像信号に基づく駆動量で液晶パネル３１の透過率を制御するように駆動する。
【００３８】
液晶駆動部２は、書き込み走査のそれぞれにおいて、左目用映像信号又は右目用映像信号によって定まる目標輝度に向けて液晶パネル３１の輝度を高めるように駆動する場合には目標輝度以上の輝度に応じた駆動量で液晶パネル３１を駆動し、左目用映像信号又は右目用映像信号によって定まる目標輝度に向けて液晶パネル３１の輝度を抑えるように駆動する場合には目標輝度以下の輝度に応じた駆動量で液晶パネル３１を駆動するオーバードライブ処理を行う。
【００３９】
液晶駆動部２は、１フィールド期間内の左目用映像信号を書き込む期間及び１フィールド期間内の右目用映像信号を書き込む期間のそれぞれにおいて、左目用映像信号又は右目用映像信号によって定まる目標輝度に向けて液晶パネル３１の透過率を高めるように駆動する場合には目標輝度に必要な透過率以上の透過率に応じた駆動量（印加電圧）で液晶パネル３１を駆動し、左目用映像信号又は右目用映像信号によって定まる目標輝度に向けて液晶パネル３１の透過率を抑えるように駆動する場合には目標輝度に必要な透過率以下の透過率に応じた駆動量で液晶パネル３１を駆動するオーバードライブ処理を少なくとも２回行う。
【００４０】
液晶パネル３１は、入力された左目用映像信号と右目用映像信号とに応じて背面から入射する光を変調し、左目用映像信号に基づく左目用映像と右目用映像信号に基づく右目用映像とを順次表示する。液晶パネル３１は、ＩＰＳ（Ｉｎ  Ｐｌａｎｅ  Ｓｗｉｔｃｈｉｎｇ）方式や、ＶＡ（Ｖｅｒｔｉｃａｌ  Ａｌｉｇｎｍｅｎｔ）方式、ＴＮ（Ｔｗｉｓｔｅｄ  Ｎｅｍａｔｉｃ）方式などの様々な駆動方式のものを適用することができる。また、液晶パネル３１及びバックライト３２は、映像表示部の一例であり、映像表示部として有機ＥＬパネルを用いてもよい。
【００４１】
バックライト３２は、液晶パネル３１に背面から光を照射する。バックライト３２は、二次元配列された複数の発光ダイオード（ＬＥＤ）を用いて面発光する。なお、バックライト３２は、複数の蛍光管を並べて配置することで面発光するものであってもよい。また、バックライト３２は、端部に発光ダイオード又は蛍光管を配置したエッジタイプであってもよく、本実施の形態に限られるものではない。
【００４２】
バックライト３２は、立体映像処理部１から出力された１２０Ｈｚの同期信号を基準としてバックライト制御部６から出力される発光制御信号に基づき発光する。
【００４３】
メガネ制御部４は、メガネ装置５の左目用メガネシャッタ５Ｌ及び右目用メガネシャッタ５Ｒの開閉状態を左目用映像信号と右目用映像信号との表示周期に応じた開閉周期で制御する。メガネ制御部４は、左目用映像信号と右目用映像信号とに基づき、右目及び左目に交互に光を透過させるメガネ装置５の、右目及び左目への光の透過を切り替えるメガネ制御信号を生成する。本実施の形態においては、左目用映像信号及び右目用映像信号の表示周期は１２０Ｈｚであるので、メガネ制御部４は、左目用メガネシャッタ５Ｌ及び右目用メガネシャッタ５Ｒのそれぞれの開閉周期を６０Ｈｚで制御する。メガネ制御部４は、左目用シャッタ制御回路４Ｌ及び右目用シャッタ制御回路４Ｒを有している。
【００４４】
左目用シャッタ制御回路４Ｌ及び右目用シャッタ制御回路４Ｒは、左右映像信号の１２０Ｈｚの同期信号を基準としてシャッタ開期間の位相を決定する。左目用シャッタ制御回路４Ｌは、左右映像信号に同期して、左目への光の透過を制御するための左目用メガネ制御信号を生成する。また、右目用シャッタ制御回路４Ｒは、左右映像信号に同期して、右目への光の透過を制御するための右目用メガネ制御信号を生成する。左目用シャッタ制御回路４Ｌ及び右目用シャッタ制御回路４Ｒの出力信号により、左目用メガネシャッタ５Ｌ及び右目用メガネシャッタ５Ｒの開閉状態が制御される。
【００４５】
メガネ制御部４は、液晶パネル３１の応答特性及び左目用映像と右目用映像との映像間のクロストークを考慮して、左目用メガネシャッタ５Ｌ及び右目用メガネシャッタ５Ｒの開期間のパルス幅及びシャッタ開閉位置（シャッタ開期間の位相）を設定する。本実施の形態においては、左目用メガネシャッタ５Ｌ及び右目用メガネシャッタ５Ｒのパルス幅は、６０Ｈｚ周期の映像信号の一周期期間（１６．７ｍｓｅｃ）の２５％（デューティ２５％）であり、左目用メガネシャッタ５Ｌ及び右目用メガネシャッタ５Ｒの閉位置を、左右それぞれの映像信号走査期間の終端位置としている。これらのシャッタ開閉位置は、左目用シャッタ制御回路４Ｌ及び右目用シャッタ制御回路４Ｒによって制御される。
【００４６】
バックライト制御部６は、立体映像処理部１からの１２０Ｈｚの同期信号に基づき動作し、左目用メガネシャッタ５Ｌ及び右目用メガネシャッタ５Ｒの開閉位置に同期してバックライト３２を発光させる発光制御信号を出力する。
【００４７】
なお、本実施の形態１において、立体表示システム１００が映像視聴システムの一例に相当し、立体表示装置１０が映像表示装置の一例に相当し、メガネ装置５がメガネ装置の一例に相当し、液晶パネル３１及びバックライト３２が映像表示部の一例に相当し、液晶駆動部２が駆動部の一例に相当し、メガネ制御部４がメガネ制御部の一例に相当する。
【００４８】
図２は、本実施の形態１の立体表示システムにおける制御タイミングチャートを示す図である。図２における制御タイミングチャートは、液晶パネル３１における左目用映像信号及び右目用映像信号の書込タイミング、書き込まれる映像信号の種類、オーバードライブ処理、液晶パネル３１の駆動動作、左目用メガネシャッタ５Ｌ及び右目用メガネシャッタ５Ｒの開閉タイミング、及び液晶パネル３１の液晶輝度応答を表している。
【００４９】
ここで、書込タイミングに示すように、液晶パネル３１に対しては、画面上部から下部に左目用映像信号又は右目用映像信号が順次書き込まれる。本実施の形態の場合、１フィールド（６０Ｈｚ＝１６．７ｍｓｅｃ）の期間の約４分の１の時間で書き込みを完了している。また、書き込みの完了後に、同一の映像信号が連続して書き込まれる。つまり、液晶駆動部２は、１フィールド期間内の左目用映像信号を書き込む期間において、同一の左目用映像信号を２回連続して書き込むとともに、１フィールド期間内の右目用映像信号を書き込む期間において、同一の右目用映像信号を２回連続して書き込む。図２では、左目用映像信号の書き込み期間内に、第１左目用書込と第２左目用書込とが行われ、右目用映像信号の書き込み期間内に、第１右目用書込と第２右目用書込とが行われる。
【００５０】
左目用メガネシャッタ５Ｌ及び右目用メガネシャッタ５Ｒは、同一の映像信号が２回書き込みされる際に、１回目の書き込み中は閉状態となり、２回目の書き込み途中で開状態となる。従って、視聴者は、１回目の書き込み中に映像を視認することはなく、２回目の書き込み途中に映像を視認することになる。
【００５１】
これにより、左目用映像信号から右目用映像信号に書き換えられる１回目の右目用映像信号の書き込み途中において、左目用映像と右目用映像とが混在して表示されることを防止するとともに、右目用映像信号から左目用映像信号に書き換えられる１回目の左目用映像信号の書き込み途中において、左目用映像と右目用映像とが混在して表示されることを防止することができる。なお、第１左目用書込と第２左目用書込とを、より早い書き込み周波数で書き込んで、２回目の書き込み後に左目用メガネシャッタ５Ｌ又は右目用メガネシャッタ５Ｒを開状態としてもよい。
【００５２】
上記のように、液晶駆動部２は、左目用映像信号及び右目用映像信号の各々に対応して、第１の書き込み走査と第２の書き込み走査とを行う。このとき、第１の書き込み走査における第１のオーバードライブ処理は、第２の書き込み走査における第２のオーバードライブ処理と異なる。
【００５３】
液晶駆動部２は、１フィールド期間内の左目用映像信号を書き込む期間及び１フィールド期間内の右目用映像信号を書き込む期間のそれぞれにおいて、第１のオーバードライブ処理と第２のオーバードライブ処理とを行う。より具体的には、液晶駆動部２は、１回目の左目用映像信号又は右目用映像信号の書き込み時に第１のオーバードライブ処理を行い、２回目の左目用映像信号又は右目用映像信号の書き込み時に第２のオーバードライブ処理を行う。
【００５４】
第１のオーバードライブ処理は、左目用映像信号又は右目用映像信号によって定まる目標輝度に向けて液晶パネル３１の輝度を高めるように駆動する場合には目標輝度よりも高い輝度に応じた駆動量で液晶パネル３１を駆動し、左目用映像信号又は右目用映像信号によって定まる目標輝度に向けて液晶パネル３１の輝度を抑えるように駆動する場合には目標輝度よりも低い輝度に応じた駆動量で液晶パネル３１を駆動する。
【００５５】
また、第２のオーバードライブ処理は、左目用映像信号又は右目用映像信号によって定まる目標輝度に向けて液晶パネル３１の輝度を高めるように駆動する場合には目標輝度と等しい輝度に応じた駆動量で液晶パネル３１を駆動し、左目用映像信号又は右目用映像信号によって定まる目標輝度に向けて液晶パネル３１の輝度を抑えるように駆動する場合には目標輝度と等しい輝度に応じた駆動量で液晶パネル３１を駆動する。
【００５６】
第１のオーバードライブ処理は、目標透過率に必要な駆動電圧を超える駆動電圧を液晶パネル３１に印加することにより、液晶パネル３１の透過率を目標透過率に到達させ、第２のオーバードライブ処理は、目標透過率に必要な駆動電圧に相当する駆動電圧を液晶パネル３１に印加することにより、液晶パネル３１の透過率を目標透過率で維持する。
【００５７】
図２の例では、液晶駆動部２は、第１左目用書込において、左目画像目標輝度に必要な駆動電圧（左目画像目標透過率に必要な駆動電圧）よりも高い駆動電圧を液晶パネル３１に印加する第１のオーバードライブ処理を行い、第２左目用書込において、左目画像目標輝度に相当する駆動電圧（左目画像目標透過率に相当する駆動電圧）を液晶パネル３１に印加する第２のオーバードライブ処理を行う。また、液晶駆動部２は、第１右目用書込において、右目画像目標輝度に必要な駆動電圧（右目画像目標透過率に必要な駆動電圧）よりも低い駆動電圧を液晶パネル３１に印加する第１のオーバードライブ処理を行い、第２右目用書込において、右目画像目標輝度に相当する駆動電圧（右目画像目標透過率に相当する駆動電圧）を液晶パネル３１に印加する第２のオーバードライブ処理を行う。
【００５８】
なお、本実施の形態では、第２のオーバードライブ処理は、目標透過率に必要な駆動電圧に相当する駆動電圧を印加しているが、本発明は特にこれに限定されず、第２のオーバードライブ処理は、第１のオーバードライブ処理において印加される駆動電圧よりも高い駆動電圧を液晶パネル３１に印加してもよい。
【００５９】
図３は、本実施の形態１の立体表示装置において発生するクロストークを低減する処理について説明するための図である。図３に示すタイミングチャートでは、液晶パネル３１の液晶透過量の応答、バックライト３２の輝度、右目用メガネシャッタ５Ｒ及び左目用メガネシャッタ５Ｌの開閉タイミング、及びメガネシャッタ通過後の瞬時輝度を表している。
【００６０】
従来の立体表示装置では、１回のみのオーバードライブ処理によって、左目画像目標輝度に必要な駆動電圧より高い駆動電圧が印加される。これにより、次に右目画像目標輝度に必要な駆動電圧を印加する際の初期電圧が高くなり、右目画像目標輝度まで輝度の応答を下げることができず、クロストークが発生していた。
【００６１】
一方、本実施の形態では、まず、左目期間における第１のオーバードライブ処理によって、左目画像目標輝度に必要な駆動電圧（左目画像目標透過率に必要な駆動電圧）より高い駆動電圧が液晶パネル３１に印加されることにより、液晶パネル３１で表示される画像の輝度が左目画像目標輝度に到達され、第２のオーバードライブ処理によって、左目画像目標輝度に相当する駆動電圧（左目画像目標透過率に相当する駆動電圧）が液晶パネル３１に印加されることにより、液晶パネル３１で表示される画像の輝度が左目画像目標輝度で維持される。
【００６２】
次に、右目期間における第１のオーバードライブ処理によって、右目画像目標輝度に必要な駆動電圧（右目画像目標透過率に必要な駆動電圧）より低い駆動電圧が液晶パネル３１に印加されることにより、液晶パネル３１で表示される画像の輝度が右目画像目標輝度に到達され、第２のオーバードライブ処理によって、右目画像目標輝度に相当する駆動電圧（右目画像目標透過率に相当する駆動電圧）が液晶パネル３１に印加されることにより、液晶パネル３１で表示される画像の輝度が右目画像目標輝度で維持される。これにより、右目画像目標電圧を印加する際の初期電圧を抑えることができ、右目画像目標輝度まで輝度の応答（液晶透過量の応答）を下げることができ、クロストークの発生を抑制することができる。
【００６３】
また、第１のオーバードライブ処理は、左目用映像信号又は右目用映像信号によって定まる目標輝度に向けて液晶パネル３１の輝度を高めるように駆動する場合には目標輝度よりも高い第１の輝度に応じた駆動量で液晶パネル３１を駆動し、左目用映像信号又は右目用映像信号によって定まる目標輝度に向けて液晶パネル３１の輝度を抑えるように駆動する場合には目標輝度よりも低い第２の輝度に応じた駆動量で液晶パネル３１を駆動してもよい。
【００６４】
また、第２のオーバードライブ処理は、左目用映像信号又は右目用映像信号によって定まる目標輝度に向けて液晶パネル３１の輝度を高めるように駆動する場合には目標輝度よりも高く、かつ、第１の輝度よりも低い第３の輝度に応じた駆動量で液晶パネル３１を駆動し、左目用映像信号又は右目用映像信号によって定まる目標輝度に向けて液晶パネル３１の輝度を抑えるように駆動する場合には目標輝度よりも低く、かつ、第２の輝度よりも高い第４の輝度に応じた駆動量で液晶パネル３１を駆動してもよい。
【００６５】
次に、本実施の形態１におけるオーバードライブ処理の他の例について説明する。図４は、現フレームの輝度と、前フレームの輝度との関係を示す図であり、図５は、図４に示す第１〜第３領域におけるオーバードライブ処理について説明するための図である。
【００６６】
図４において、横軸は、前フレームの輝度を示し、縦軸は、現フレームの輝度を示している。なお、１フレームは、１フィールド内の右目用映像信号及び左目用映像信号のいずれか一方を表示する期間である。
【００６７】
図４において、前フレームの輝度をＸとし、現フレームの輝度をＹとし、第１領域Ｒ１をＸ−６０＜Ｙ＜Ｘ＋６０とし、第２領域Ｒ２をＸ−８０＜Ｙ≦Ｘ−６０及びＸ＋８０＜Ｙ≦Ｘ＋６０とし、第３領域Ｒ３を０≦Ｙ≦Ｘ−８０及びＸ＋８０≦Ｙ≦１００とする。ただし、Ｘは、０≦Ｘ≦１００を満たす。
【００６８】
前フレームの輝度と現フレームの輝度とが第１領域Ｒ１内に存在する場合、液晶パネル３１で表示される画像の輝度は、１回のオーバードライブ処理で、映像信号に対応する映像を表示するための目標輝度に到達する。また、前フレームの輝度と現フレームの輝度とが第２領域Ｒ２内に存在する場合、液晶パネル３１で表示される画像の輝度は、２回のオーバードライブ処理で目標輝度に到達する。一方、前フレームの輝度と現フレームの輝度とが第３領域Ｒ３内に存在する場合、液晶パネル３１で表示される画像の輝度は、２回のオーバードライブ処理で目標輝度に到達しない。
【００６９】
図５に示すように、例えば、前フレームの左目用映像信号の輝度が１００であり、現フレームの右目用映像信号の輝度が５０である場合、前フレームの輝度と現フレームの輝度とは第１領域Ｒ１内に存在することになる。この場合、液晶駆動部２は、設定輝度値（設定駆動電圧）を３０として第１のオーバードライブ処理を行う。これにより、第１左目用書込の完了時において、液晶パネル３１で表示される画像の輝度は、１００から５０に引き下げられる。このとき、現フレームの輝度は、目標輝度である５０に到達している。そのため、液晶駆動部２は、設定輝度値を５０として第２のオーバードライブ処理を行う。これにより、第２左目用書込において、液晶パネル３１で表示される画像の輝度は、目標輝度である５０で維持される。
【００７０】
このように、前フレームの輝度と現フレームの輝度とが第１領域Ｒ１内に存在する場合、液晶駆動部２は、第１のオーバードライブ処理により目標輝度まで引き下げ、第２のオーバードライブ処理により当該目標輝度を維持するように液晶パネル３１を駆動する。これにより、液晶パネル３１で表示される画像の輝度が、目標輝度より低下することを防止することができ、クロストークの発生を抑制することができる。
【００７１】
また、例えば、前フレームの左目用映像信号の輝度が１００であり、現フレームの右目用映像信号の輝度が３０である場合、前フレームの輝度と現フレームの輝度とは第２領域Ｒ２内に存在することになる。この場合、液晶駆動部２は、設定輝度値を０として第１のオーバードライブ処理を行う。これにより、第１左目用書込の完了時において、液晶パネル３１の輝度は、１００から４０に引き下げられる。このとき、現フレームの輝度は、目標輝度である３０に到達していない。そのため、液晶駆動部２は、設定輝度値を１５として第２のオーバードライブ処理を行う。これにより、第２左目用書込の完了時において、液晶パネル３１で表示される画像の輝度は、目標輝度である３０に到達する。
【００７２】
なお、第２のオーバードライブ処理において、設定輝度値を０とした場合、液晶パネル３１で表示される画像の輝度は、目標輝度より小さくなり、設定輝度値を３０とした場合、液晶パネル３１で表示される画像の輝度は、目標輝度に到達しない。そこで、液晶駆動部２は、設定輝度値を１５として第２のオーバードライブ処理を行っている。
【００７３】
このように、前フレームの輝度と現フレームの輝度とが第２領域Ｒ２内に存在する場合、液晶駆動部２は、第１のオーバードライブ処理により目標輝度よりも高い所定の輝度まで引き下げ、第２のオーバードライブ処理により所定の輝度から目標輝度まで引き下げるように液晶パネル３１を駆動する。これにより、液晶パネル３１で表示される画像の輝度が、目標輝度より低下することを防止するとともに、目標輝度に到達しないことを防止することができ、クロストークの発生を抑制することができる。
【００７４】
さらに、例えば、前フレームの左目用映像信号の輝度が１００であり、現フレームの右目用映像信号の輝度が１０である場合、前フレームの輝度と現フレームの輝度とは第３領域Ｒ３内に存在することになる。この場合、液晶駆動部２は、設定輝度値を０として第１のオーバードライブ処理を行うとともに、設定輝度値を０として第２のオーバードライブ処理を行う。このとき、現フレームの輝度は、目標輝度である１０に到達していない。つまり、前フレームの輝度と現フレームの輝度との差が大きい場合、２回のオーバードライブ処理では目標輝度に到達することができず、クロストークが残存することになる。しかしながら、１回のみオーバードライブ処理を行った場合に比べてクロストーク量は削減することができる。
【００７５】
図６（Ａ）は、本実施の形態１において画面に表示される右目用映像を示す図であり、図６（Ｂ）は、本実施の形態１において画面に表示される左目用映像を示す図である。図６（Ａ）において、右目用映像ＲＧには、黒色の背景画像上に白色の物体Ｓ１が表示されている。また、図６（Ｂ）において、左目用映像ＬＧには、黒色の背景画像上に白色の物体Ｓ２が表示されている。
【００７６】
図６（Ａ）及び図６（Ｂ）に示すように、本実施の形態ではクロストークの発生が抑制されるので、右目用映像ＲＧには、物体Ｓ１のみが表示され、左目用映像ＬＧには、物体Ｓ２のみが表示されている。したがって、立体映像における画質の品位を向上させることができる。
【００７７】
なお、本実施の形態において、液晶駆動部２は、左目用シャッタ制御回路４Ｌ及び右目用シャッタ制御回路４Ｒによって制御される左目用メガネシャッタ５Ｌ及び右目用メガネシャッタ５Ｒの開閉タイミングに応じて第１のオーバードライブ処理及び第２のオーバードライブ処理において印加される駆動電圧を変化させてもよい。
【００７８】
すなわち、液晶駆動部２は、左目用メガネシャッタ５Ｌ及び右目用メガネシャッタ５Ｒの開位置が早くなった場合には、第１のオーバードライブ処理及び第２のオーバードライブ処理の駆動電圧を高くする。
【００７９】
メガネ制御信号に対する左目用メガネシャッタ５Ｌ及び右目用メガネシャッタ５Ｒの開位置が早くなった場合、通常のままでは液晶の応答が完了しておらずクロストーク量が増加する。しかしながら、本実施の形態では、メガネ制御信号に対する左目用メガネシャッタ５Ｌ及び右目用メガネシャッタ５Ｒの開閉タイミングに応じてオーバードライブ処理における駆動電圧が変化されるので、メガネ制御信号に対する左目用メガネシャッタ５Ｌ及び右目用メガネシャッタ５Ｒの開位置が早まった場合にオーバードライブ処理において印加される駆動電圧を高くすることができ、クロストーク量を減少させることができる。
【００８０】
（実施の形態２）
次に、本発明の実施の形態２に係る立体表示システムについて説明する。図７は、本発明の実施の形態２に係る立体表示システムの構成を示すブロック図である。図７に示す立体表示システム２００は、立体表示装置２０とメガネ装置５とを備える。なお、図７に示す立体表示システム２００において、実施の形態１と同じ構成については同じ符号を付し、説明を省略する。
【００８１】
立体表示装置２０は、立体映像処理部１、液晶駆動部２、液晶パネル３１、バックライト３２、メガネ制御部４、バックライト制御部６及び温度検出部７を備える。なお、本実施の形態２において、立体表示システム２００が映像視聴システムの一例に相当し、立体表示装置２０が映像表示装置の一例に相当し、温度検出部７が温度検出部の一例に相当する。
【００８２】
温度検出部７は、液晶パネル３１の温度を検出し、検出した値に基づくパネル温度信号を液晶駆動部２に出力する。液晶駆動部２は、温度検出部７によって検出された温度に応じてオーバードライブ処理において駆動する駆動量を変化させる。
【００８３】
一般的に、液晶パネル３１の温度が低下すると液晶の応答速度が遅くなりクロストークが増加する傾向にある。そこで、液晶駆動部２は、温度検出部７によって検出された温度が低下するに従って、オーバードライブ処理において駆動する駆動量を高くする。
【００８４】
すなわち、液晶駆動部２は、左目用映像信号又は右目用映像信号によって定まる目標輝度に対応する駆動量とオーバードライブ処理した駆動量との差が、温度検出部７によって検出された温度が低いほど大きくなるように、オーバードライブ処理を行う。
【００８５】
例えば、液晶駆動部２は、温度検出部７によって検出された温度が所定の閾値より小さい場合、第１のオーバードライブ処理及び第２のオーバードライブ処理における設定駆動電圧（ゲイン値）を、所定の閾値からの検出温度の低下量に応じて高くする。液晶駆動部２は、温度と、第１のオーバードライブ処理及び第２のオーバードライブ処理における設定駆動電圧の増加量とを対応付けたテーブルを予め記憶している。液晶駆動部２は、温度検出部７によって検出された温度が所定の閾値より小さい場合、検出された温度に対応する設定駆動電圧の増加量をテーブルから読み出し、読み出した増加量を設定駆動電圧に加算して、第１のオーバードライブ処理及び第２のオーバードライブ処理を行う。
【００８６】
なお、本実施の形態では、液晶駆動部２はテーブルを予め記憶しているが、本発明は特にこれに限定されず、温度検出部７によって検出された温度が低下するに従って増加する設定駆動電圧を所定の計算式に基づいて算出してもよい。
【００８７】
また、本実施の形態では、液晶駆動部２は、温度検出部７によって検出された温度が所定の閾値より小さいか否かを判断しているが、本発明は特にこれに限定されず、液晶駆動部２は、上記の判断を行うことなく、検出された温度に対応する設定駆動電圧の増加量をテーブルから読み出し、読み出した増加量を設定駆動電圧に加算して、第１のオーバードライブ処理及び第２のオーバードライブ処理を行ってもよい。
【００８８】
また、温度検出部７は、液晶パネル３１の所定の位置の温度を検出すればよい。例えば、温度検出部７は、液晶パネル３１の上部、中央部及び下部のうちのいずれか１箇所の温度を検出する。また、温度検出部７は、液晶パネル３１の複数の位置、例えば液晶パネル３１の上部、中央部及び下部の温度を検出し、検出した温度の平均値を算出してもよい。
【００８９】
さらに、温度検出部７は、複数の領域に分割された液晶パネル３１の各領域の温度を検出してもよい。この場合、液晶駆動部２は、温度検出部７によって検出された領域毎の温度に応じて、領域毎の第１のオーバードライブ処理及び第２のオーバードライブ処理において印加される駆動電圧を変化させる。例えば、温度検出部７は、液晶パネル３１の上部、中央部及び下部のそれぞれの温度を検出する。
【００９０】
本実施の形態２によれば、液晶パネル３１の温度に応じてオーバードライブ処理において印加される駆動電圧が変化されるので、液晶パネル３１の温度が低下した場合にオーバードライブ処理において印加される駆動電圧を高くすることができ、クロストーク量を減少させることができる。
【００９１】
なお、実施の形態１及び実施の形態２では、液晶駆動部２は、１フィールド期間内の左目用映像信号を書き込む期間及び１フィールド期間内の右目用映像信号を書き込む期間のそれぞれにおいて、オーバードライブ処理を２回行っているが、本発明は特にこれに限定されず、液晶駆動部２は、１フィールド期間内の左目用映像信号を書き込む期間及び１フィールド期間内の右目用映像信号を書き込む期間のそれぞれにおいて、オーバードライブ処理を３回以上行ってもよい。
【００９２】
なお、上述した具体的実施形態には以下の構成を有する発明が主に含まれている。
【００９３】
本発明の一局面に係る映像表示装置は、左目用映像信号に基づく左目用映像と右目用映像信号に基づく右目用映像とを表示する映像表示部と、前記左目用映像信号又は前記右目用映像信号に基づく駆動量でそれぞれ少なくとも２回ずつの書き込み走査を行って前記映像表示部を駆動する駆動部と、を備え、前記駆動部は、前記書き込み走査のそれぞれにおいて、前記左目用映像信号又は前記右目用映像信号によって定まる目標輝度に向けて輝度を高めるように前記映像表示部を駆動する場合には前記目標輝度以上の輝度に応じた駆動量で前記映像表示部を駆動し、前記目標輝度に向けて前記映像表示部の輝度を抑えるように前記映像表示部を駆動する場合には前記目標輝度以下の輝度に応じた駆動量で前記映像表示部を駆動するオーバードライブ処理を行う。
【００９４】
この構成によれば、映像表示部によって、左目用映像信号に基づく左目用映像と右目用映像信号に基づく右目用映像とが表示され、駆動部によって、左目用映像信号又は右目用映像信号に基づく駆動量でそれぞれ少なくとも２回ずつの書き込み走査を行って映像表示部が駆動される。そして、書き込み走査のそれぞれにおいて、左目用映像信号又は右目用映像信号によって定まる目標輝度に向けて輝度を高めるように映像表示部を駆動する場合には目標輝度以上の輝度に応じた駆動量で映像表示部を駆動し、目標輝度に向けて輝度を抑えるように映像表示部を駆動する場合には目標輝度以下の輝度に応じた駆動量で映像表示部を駆動するオーバードライブ処理が行われる。
【００９５】
したがって、左目用映像信号又は右目用映像信号によって定まる目標輝度に向けて輝度を高めるように映像表示部を駆動する場合には目標輝度以上の輝度に応じた駆動量で映像表示部が駆動され、目標輝度に向けて輝度を抑えるように映像表示部を駆動する場合には目標輝度以下の輝度に応じた駆動量で映像表示部が駆動されるので、映像表示部に表示される左目用映像及び右目用映像の輝度を目標輝度に到達させることができ、立体映像におけるクロストークの発生を防止することができる。
【００９６】
本発明の他の局面に係る映像表示装置は、左目用映像信号に基づく左目用映像と右目用映像信号に基づく右目用映像とを表示する映像表示部と、前記左目用映像信号又は前記右目用映像信号に基づく駆動量で書き込み走査を行って前記映像表示部を駆動する駆動部と、を備え、前記駆動部は、前記左目用映像信号及び前記右目用映像信号の各々に対応して、第１の書き込み走査と第２の書き込み走査とを行い、前記第１の書き込み走査と第２の書き込み走査のそれぞれにおいて、前記左目用映像信号又は前記右目用映像信号によって定まる目標輝度に向けて輝度を高めるように前記映像表示部を駆動する場合には前記目標輝度以上の輝度に応じた駆動量で前記映像表示部を駆動し、前記第１の書き込み走査における第１のオーバードライブ処理と、前記第２の書き込み走査における第２のオーバードライブ処理とを異ならせる。
【００９７】
この構成によれば、映像表示部によって、左目用映像信号に基づく左目用映像と右目用映像信号に基づく右目用映像とが表示され、駆動部によって、左目用映像信号又は右目用映像信号に基づく駆動量で書き込み走査を行って映像表示部が駆動される。そして、左目用映像信号及び右目用映像信号の各々に対応して、第１の書き込み走査と第２の書き込み走査とが行われ、第１の書き込み走査と第２の書き込み走査のそれぞれにおいて、左目用映像信号又は右目用映像信号によって定まる目標輝度に向けて輝度を高めるように映像表示部を駆動する場合には目標輝度以上の輝度に応じた駆動量で映像表示部が駆動され、第１の書き込み走査における第１のオーバードライブ処理と、第２の書き込み走査における第２のオーバードライブ処理とが異なる。
【００９８】
したがって、左目用映像信号を書き込む期間及び右目用映像信号を書き込む期間のそれぞれにおいて、２回のオーバードライブ処理が行われるので、映像表示部に表示される左目用映像及び右目用映像の輝度を目標輝度に到達させることができ、立体映像におけるクロストークの発生を防止することができる。
【００９９】
また、上記の映像表示装置において、前記第１のオーバードライブ処理は、前記目標輝度に向けて輝度を高めるように前記映像表示部を駆動する場合には前記目標輝度よりも高い輝度に応じた駆動量で前記映像表示部を駆動し、前記目標輝度に向けて輝度を抑えるように前記映像表示部を駆動する場合には前記目標輝度よりも低い輝度に応じた駆動量で前記映像表示部を駆動し、前記第２のオーバードライブ処理は、前記目標輝度に向けて輝度を高めるように前記映像表示部を駆動する場合には前記目標輝度と等しい輝度に応じた駆動量で前記映像表示部を駆動し、前記目標輝度に向けて輝度を抑えるように前記映像表示部を駆動する場合には前記目標輝度と等しい輝度に応じた駆動量で前記映像表示部を駆動することが好ましい。
【０１００】
この構成によれば、第１のオーバードライブ処理において、目標輝度に向けて輝度を高めるように映像表示部を駆動する場合には目標輝度よりも高い輝度に応じた駆動量で映像表示部が駆動され、目標輝度に向けて輝度を抑えるように映像表示部を駆動する場合には目標輝度よりも低い輝度に応じた駆動量で映像表示部が駆動される。また、第２のオーバードライブ処理において、目標輝度に向けて輝度を高めるように映像表示部を駆動する場合には目標輝度と等しい輝度に応じた駆動量で映像表示部が駆動され、目標輝度に向けて輝度を抑えるように映像表示部を駆動する場合には目標輝度と等しい輝度に応じた駆動量で映像表示部が駆動される。
【０１０１】
したがって、第１のオーバードライブ処理によって輝度を目標輝度に到達させ、第２のオーバードライブ処理によって輝度を目標輝度で維持させることができ、立体映像におけるクロストークの発生を防止することができる。
【０１０２】
また、上記の映像表示装置において、前記第１のオーバードライブ処理は、前記目標輝度に向けて輝度を高めるように前記映像表示部を駆動する場合には前記目標輝度よりも高い第１の輝度に応じた駆動量で前記映像表示部を駆動し、前記目標輝度に向けて輝度を抑えるように前記映像表示部を駆動する場合には前記目標輝度よりも低い第２の輝度に応じた駆動量で前記映像表示部を駆動し、前記第２のオーバードライブ処理は、前記目標輝度に向けて輝度を高めるように前記映像表示部を駆動する場合には前記目標輝度よりも高く、かつ、前記第１の輝度よりも低い第３の輝度に応じた駆動量で前記映像表示部を駆動し、前記目標輝度に向けて輝度を抑えるように前記映像表示部を駆動する場合には前記目標輝度よりも低く、かつ、前記第２の輝度よりも高い第４の輝度に応じた駆動量で前記映像表示部を駆動することが好ましい。
【０１０３】
この構成によれば、第１のオーバードライブ処理において、目標輝度に向けて輝度を高めるように映像表示部を駆動する場合には目標輝度よりも高い第１の輝度に応じた駆動量で映像表示部が駆動され、目標輝度に向けて輝度を抑えるように映像表示部を駆動する場合には目標輝度よりも低い第２の輝度に応じた駆動量で映像表示部が駆動される。また、第２のオーバードライブ処理において、目標輝度に向けて輝度を高めるように映像表示部を駆動する場合には目標輝度よりも高く、かつ、第１の輝度よりも低い第３の輝度に応じた駆動量で映像表示部が駆動され、目標輝度に向けて輝度を抑えるように映像表示部を駆動する場合には目標輝度よりも低く、かつ、第２の輝度よりも高い第４の輝度に応じた駆動量で映像表示部が駆動される。
【０１０４】
したがって、第１のオーバードライブ処理によって輝度を目標輝度近傍に早く到達させ、第２のオーバードライブ処理によって輝度を目標輝度に到達させることができ、立体映像におけるクロストークの発生を防止することができる。
【０１０５】
また、上記の映像表示装置において、前記映像表示部の温度を検出する温度検出部をさらに備え、前記駆動部は、前記温度検出部によって検出された温度に応じて前記オーバードライブ処理において駆動する駆動量を変化させることが好ましい。
【０１０６】
映像表示部の温度が低下した場合、映像表示部の応答速度が低下し、クロストーク量が増加する。しかしながら、この構成によれば、映像表示部の温度に応じてオーバードライブ処理において駆動する駆動量が変化されるので、映像表示部の温度が低下した場合にオーバードライブ処理において駆動する駆動量を高くすることができ、クロストーク量を減少させることができる。
【０１０７】
また、上記の映像表示装置において、前記駆動部は、前記左目用映像信号又は前記右目用映像信号によって定まる目標輝度に対応する駆動量とオーバードライブ処理した駆動量との差が、前記温度検出部によって検出された温度が低いほど大きくなるように、前記オーバードライブ処理を行うことが好ましい。
【０１０８】
この構成によれば、左目用映像信号又は右目用映像信号によって定まる目標輝度に対応する駆動量とオーバードライブ処理した駆動量との差が、温度検出部によって検出された温度が低いほど大きくなるように、オーバードライブ処理が行われるので、映像表示部の温度が低下した場合にオーバードライブ処理における駆動量を大きくすることができ、クロストーク量を減少させることができる。
【０１０９】
また、上記の映像表示装置において、前記左目用映像信号と前記右目用映像信号とに基づき、右目及び左目に交互に光を透過させるメガネ装置の、右目及び左目への光の透過を切り替えるメガネ制御信号を生成するメガネ制御部をさらに備え、前記駆動部は、前記メガネ制御部によって生成されたメガネ制御信号に対する前記メガネ装置の光の切り替えタイミングに応じて前記オーバードライブ処理において駆動する駆動量を変化させることが好ましい。
【０１１０】
この構成によれば、メガネ制御部によって、左目用映像信号と右目用映像信号とに基づき、右目及び左目に交互に光を透過させるメガネ装置の、右目及び左目への光の透過を切り替えるメガネ制御信号が生成される。そして、駆動部によって、メガネ制御信号に対するメガネ装置の光の切り替えタイミングに応じてオーバードライブ処理において駆動する駆動量が変化される。
【０１１１】
したがって、右目又は左目に光を透過させるタイミングが早まった場合にオーバードライブ処理における駆動量を高くすることができ、クロストーク量を減少させることができる。
【０１１２】
また、上記の映像表示装置において、前記映像表示部は、左目用映像信号と右目用映像信号とに応じて背面から入射する光を変調して、前記左目用映像信号に基づく左目用映像と前記右目用映像信号に基づく右目用映像とを表示する液晶パネル部と、前記液晶パネル部の背面に光を照射するバックライトと、を有し、前記駆動部は、前記左目用映像信号及び前記右目用映像信号の各々に基づく駆動量で透過率を制御するように前記液晶パネル部を駆動し、前記オーバードライブ処理は、前記目標輝度に向けて透過率を高めるように前記液晶パネル部を駆動する場合には前記目標輝度に必要な透過率以上の透過率に応じた駆動量で前記液晶パネル部を駆動し、前記目標輝度に向けて透過率を抑えるように前記液晶パネル部を駆動する場合には前記目標輝度に必要な透過率以下の透過率に応じた駆動量で前記液晶パネル部を駆動することが好ましい。
【０１１３】
この構成によれば、左目用映像信号及び右目用映像信号の各々に基づく駆動量で透過率を制御するように液晶パネル部が駆動される。そして、オーバードライブ処理において、目標輝度に向けて透過率を高めるように液晶パネル部を駆動する場合には目標輝度に必要な透過率以上の透過率に応じた駆動量で液晶パネル部が駆動され、目標輝度に向けて透過率を抑えるように液晶パネル部を駆動する場合には目標輝度に必要な透過率以下の透過率に応じた駆動量で液晶パネル部が駆動される。
【０１１４】
したがって、目標輝度に向けて透過率を高めるように液晶パネル部を駆動する場合には目標輝度に必要な透過率以上の透過率に応じた駆動量で液晶パネル部が駆動され、目標輝度に向けて透過率を抑えるように液晶パネル部を駆動する場合には目標輝度に必要な透過率以下の透過率に応じた駆動量で液晶パネル部が駆動されるので、映像表示部に表示される左目用映像及び右目用映像の輝度を目標輝度に到達させることができ、立体映像におけるクロストークの発生を防止することができる。
【０１１５】
本発明の他の局面に係る映像視聴システムは、上記のいずれかに記載の映像表示装置と、視聴者の左目へ到達する光の量を調整する左目用シャッタと、視聴者の右目へ到達する光の量を調整する右目用シャッタとを含むメガネ装置とを備える。
【０１１６】
この構成によれば、映像表示部によって、左目用映像信号に基づく左目用映像と右目用映像信号に基づく右目用映像とが表示され、駆動部によって、左目用映像信号又は右目用映像信号に基づく駆動量でそれぞれ少なくとも２回ずつの書き込み走査を行って映像表示部が駆動される。そして、書き込み走査のそれぞれにおいて、左目用映像信号又は右目用映像信号によって定まる目標輝度に向けて輝度を高めるように映像表示部を駆動する場合には目標輝度以上の輝度に応じた駆動量で映像表示部を駆動し、目標輝度に向けて輝度を抑えるように映像表示部を駆動する場合には目標輝度以下の輝度に応じた駆動量で映像表示部を駆動するオーバードライブ処理が行われる。
【０１１７】
したがって、左目用映像信号又は右目用映像信号によって定まる目標輝度に向けて輝度を高めるように映像表示部を駆動する場合には目標輝度以上の輝度に応じた駆動量で映像表示部が駆動され、目標輝度に向けて輝度を抑えるように映像表示部を駆動する場合には目標輝度以下の輝度に応じた駆動量で映像表示部が駆動されるので、映像表示部に表示される左目用映像及び右目用映像の輝度を目標輝度に到達させることができ、立体映像におけるクロストークの発生を防止することができる。
【０１１８】
なお、発明を実施するための形態の項においてなされた具体的な実施態様または実施例は、あくまでも、本発明の技術内容を明らかにするものであって、そのような具体例にのみ限定して狭義に解釈されるべきものではなく、本発明の精神と特許請求事項との範囲内で、種々変更して実施することができるものである。
【産業上の利用可能性】
【０１１９】
本発明に係る映像表示装置は、立体映像におけるクロストークの発生を防止することができ、映像を立体的に知覚させるための映像を表示する映像表示装置及び該表示装置が表示する映像を視聴するための映像視聴システムとして有用である。
【図１】
0005438206.tif 000004
【図２】
0005438206.tif 000005
【図３】
0005438206.tif 000006
【図４】
0005438206.tif 000007
【図５】
0005438206.tif 000008
【図６】
0005438206.tif 000009
【図７】
0005438206.tif 000010
【図８】
0005438206.tif 000011
【図９】
0005438206.tif 000012
【図１０】
0005438206.tif 000013
【図１１】
0005438206.tif 000014
【図１２】
0005438206.tif 000015